Podtech/llm-jp-corpus-v4-ja_patent huggingface dataset:
【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
非ヒト哺乳動物対象中の生体適合体の局在を検出するための非侵襲的方法であって、
該非ヒト哺乳動物対象に対して、該生体適合体と発光成分との複合体を投与する工程；
該対象の外部にある複数の点において、該非ヒト哺乳動物対象の皮膚を貫通して該発光成分から放射される光を集める工程；および
該生体適合体の局在を示す三次元画像を作成するように、該集められた光を処理する工程；
を包含する、方法。
【請求項２】
前記光は、前記対象の周囲に配置された複数の検出器を使用して複数の点において集められる、請求項１に記載の方法。
【請求項３】
前記光は、走査型検出器または走査型検出器群によって複数の点において集められる、請求項１に記載の方法。
【請求項４】
前記光は、前記非ヒト対象の周囲に位置する複数の光ファイバーケーブルによって複数の点において集められる、請求項１に記載の方法。
【請求項５】
前記非ヒト対象を固定する工程、
をさらに包含する、請求項１に記載の方法。
【請求項６】
前記固定する工程は、前記非ヒト対象を機械的に束縛する工程を包含する、請求項５に記載の方法。
【請求項７】
前記非ヒト対象を機械的に束縛する工程は、プレクシグラスシートの下に該対象を配置する工程を包含する、請求項６に記載の方法。
【請求項８】
前記固定する工程は、前記非ヒト対象を麻酔する工程を包含する、請求項６に記載の方法。
【請求項９】
前記検出器はＣＣＤカメラである、請求項２に記載の方法。
【請求項１０】
非ヒト哺乳動物対象中の生体適合体の局在を検出するための非侵襲的方法であって、
該非ヒト哺乳動物対象に対して、該生体適合体と発光成分との複合体を投与する工程；
ノイズ低減型光検出装置を使用して、該対象の外部にある複数の点において、該非ヒト哺乳動物対象の皮膚を貫通して該発光成分から放射される光を集める工程；および
該生体適合体の局在を示す三次元画像を作成するように、該集められた光を処理する工程；
を包含する、方法。
【請求項１１】
前記ノイズ低減型光検出装置は電荷結合素子カメラである、請求項１０に記載の方法。
【請求項１２】
前記ノイズ低減型光検出装置は冷却電荷結合素子カメラである、請求項１１に記載の方法。
【請求項１３】
非ヒト哺乳動物対象中の生体適合体の局在を検出するための非侵襲的方法であって、
該非ヒト哺乳動物対象に対して、該生体適合対と発光成分との複合体を投与する工程；
光子増幅装置を使用して、該対象の外部にある複数の点において、該非ヒト哺乳動物対象の皮膚を貫通して該発光成分から放射される光を集める工程；および
該生体適合体の局在を示す三次元画像を作成するように、該集められた光を処理する工程；
を包含する、方法。
【請求項１４】
前記光子増幅装置は増倍化電荷結合素子カメラである、請求項１３に記載の方法。
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
回転清掃体を構成する清掃体の生地において、該清掃体の生地は基台とパイルとからなり、前記回転清掃体の棒状の芯棒の外周面に一体的に固着するためのものであって、毛丈の異なる前記パイルが前記基台に複数列形成されてあることを特徴とする回転清掃体を構成する清掃体の生地。
【請求項２】
請求項１の清掃体の生地を棒状の芯棒の外周面に巻きつけて一体的に固着した時に、長パイルで形成された列と短パイルで形成された列とが芯棒の軸芯に対して傾斜角度を有して形成されるように清掃体の生地を裁断して構成された清掃体。
【請求項３】
請求項１の清掃体の生地を棒状の芯棒の外周面に巻きつけて一体的に固着した時に、長パイルで形成された列と短パイルで形成された列とが芯棒の軸芯に対して略直角に形成されるように清掃体の生地を裁断して構成された清掃体。
【請求項４】
請求項１の清掃体の生地を棒状の芯棒の外周面に巻きつけて一体的に固着した時に、長パイルで形成された列と短パイルで形成された列とが芯棒の軸芯に対して略平行に形成されるように清掃体の生地を裁断して構成された清掃体。
【請求項５】
請求項１の清掃体の生地を棒状の芯棒の外周面に巻きつけて一体的に固着した時に、長パイルで形成された列と短パイルで形成された列とが連続的に連なるように生地を裁断して構成された清掃体。
【請求項６】
請求項１の清掃体の生地を多角形の断面を有する棒状の芯棒の外周面に巻き付けて一体的に固着した時に、短パイルで形成された列が多角形の頂部近傍に、長パイルで形成された列が多角形の辺部に配設されるように生地を裁断して構成された清掃体。
【請求項７】
請求項２〜６のいずれか１項に記載の清掃体を棒状の芯棒の外周面に螺旋状に巻きつけて一体的に固着したことを特徴とする回転清掃体。
【請求項８】
請求項７の回転清掃体を備えた掃除機用吸込具。
【請求項９】
電動送風機と、請求項８に記載の掃除機用吸込具とを備え、前記電動送風機と前記掃除機用吸込具とを連通させた電気掃除機。
【請求項１０】
本体内に流入する空気中の塵埃を捕獲するエアフィルターと、請求項７の回転清掃体とを備え、該回転清掃体で、前記エアフィルターに付着した塵埃を除去する空気調和機。
【手続補正２】
【補正対象書類名】明細書
【補正対象項目名】００１１
【補正方法】変更
【補正の内容】
【００１１】
請求項１の発明は、回転清掃体を構成する清掃体の生地において、該清掃体の生地は基台とパイルとからなり、前記回転清掃体の棒状の芯棒の外周面に一体的に固着するためのものであって、毛丈の異なる前記パイルが前記基台に複数列形成されてあることに特徴を有する。したがって、フィルターを清掃する場合には、長パイルはフィルターの網目に入り込んでゴミを起こし、短パイルはフィルターに付着したゴミを拭き取る作用を奏し、この清掃体の生地を様々な方向でカットすることにより、様々な回転清掃体が製作される。
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
インプラントの植立対象となる部位と同様の曲面を有する頂点を１つ以上備えた立体形状をもつ芯材、前記芯材表面に形成された疑似歯肉層よりなる歯科インプラント用練習器具。
【請求項２】
前記立体のそれぞれの頂点の曲面が、口腔内のそれぞれ異なる部位の歯槽骨の曲面に適合した曲面をもつ請求項１に記載の歯科インプラント用練習器具。
【請求項３】
前記、芯材に空洞を設け、その内面に腔膜を配置してなる請求項１に記載の歯科インプラント用練習具。
【請求項４】
前記疑似歯肉層が、両面に粘着層を形成されたテープ状の中間層によって、接着固定されている請求項１に記載の歯科インプラント用練習器具。
【請求項５】
前記芯材が、ポリウレタン、その他の合成樹脂、長石、アルミナ、その他のバイオセラミックス、これらの緻密体又は多孔質体から選ばれた１乃至複数からなる請求項１に記載の歯科インプラント用練習器具。
【請求項６】
前記疑似歯肉層が、合成ゴム、天然ゴム、樹脂  等から選ばれた１乃至複数からなる請求項１に記載の歯科インプラント用練習器具。
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球が流下する遊技盤と、  前記遊技領域を流下する遊技球の入賞が許容される開状態と前記遊技領域を流下する遊技球の入賞が許容されない閉状態との間で動作可能な可変入賞口と、  前記遊技領域を流下する遊技球が受け入れられる第１受入口と、  前記第１受入口への遊技球の受け入れに基づいて始動情報を抽出する第１始動情報抽出手段と、  前記第１始動情報抽出手段によって抽出された始動情報を第１の上限値まで記憶する第１始動情報記憶手段と、  所定の始動条件が成立したとき、前記第１始動情報記憶手段によって記憶されている始動情報のうちの最も早く記憶された始動情報に基づいて大賞当たりの当落にかかる抽選処理を行う当落判定手段と、  前記当落判定手段により前記大賞当たりに当選された旨判定されたとき、多量の遊技球が賞として遊技者に付与されるべく、遊技球が容易に入賞される態様で前記可変入賞口を動作させる大賞当たり遊技を実行する当たり遊技実行手段と、  前記大賞当たりが当選されたことを契機として、前記当落判定手段によって大賞当たりと判定される確率が相対的に低い通常遊技状態と、前記当落判定手段によって大賞当たりと判定される確率が相対的に高い特別遊技状態とのいずれかを決定し、前記大賞当たり遊技が実行された後に、前記決定した遊技状態に制御可能な遊技状態制御手段と、  前記当落判定手段による抽選処理の結果が示唆されるように所定の表示画面にて図柄の変動表示を行う図柄表示手段と、  を備え、前記可変入賞口が動作するときは、当該可変入賞口に入賞した遊技球の個数に応じた分の遊技球が賞として遊技者に付与されうる遊技機であって、  前記遊技領域を流下する遊技球が常に受け入れられるように開口された第２受入口と、  前記第２受入口への遊技球の受け入れに基づいて始動情報を抽出する第２始動情報抽出手段と、  前記第２始動情報抽出手段によって抽出された始動情報を第２の上限値まで記憶する第２始動情報記憶手段と、  前記通常遊技状態に制御されているときの前記第１受入口には遊技球が受け入れ難くなるように設けられているにもかかわらず、前記特別遊技状態に制御されたときには前記第２受入口よりも前記第１受入口への遊技球の受け入れ確率のほうが高くなるように高い頻度をもって動作する可動部材と、を備え、  前記当落判定手段は、  前記所定の始動条件が成立したとき、前記第１始動情報記憶手段に始動情報が記憶されているか否かを判断する第１始動判断手段、及び  前記第１始動判断手段により始動情報が記憶されている旨判断されたとき、前記第２始動情報記憶手段に当該始動情報よりも先に記憶された始動情報があるか否かにかかわらず、前記第１始動情報記憶手段に記憶されている始動情報のうちの最も早く記憶された始動情報に基づいて前記大賞当たりの当落にかかる抽選処理を行う第１判定手段、及び  前記第１始動判断手段により始動情報が記憶されている旨判断されなかったとき、前記第２始動情報記憶手段に記憶されている始動情報のうちの最も早く記憶された始動情報に基づいて前記大賞当たりの当落にかかる抽選処理を行う第２判定手段、  を有するものであり、  前記第１判定手段は、前記大賞当たりのみが当選種別に含まれる前記抽選処理を行うもので���り、  前記第２判定手段は、前記特別遊技状態に制御されているにもかかわらず、前記第１始動情報記憶手段及び前記第２始動情報記憶手段のうちの前記第２始動情報記憶手段にのみ始動情報が記憶されている条件のもとで前記抽選処理を行うときは、当該抽選処理の結果に、前記大賞当たりのほか、小賞当たりも当選種別に含ませた上で当該抽選処理を行うものであり、  前記当たり遊技実行手段は、前記特別遊技状態に制御されているときに前記第２判定手段によって前記抽選処理が行われた結果、前記小賞当たりが当選されたときは、前記大賞当たり遊技よりも遊技球が入賞し難い態様で前記可変入賞口を動作させる小賞当たり遊技を実行するものであり、  前記遊技状態制御手段は、前記第１判定手段及び前記第２判定手段のうち、前記第２判定手段による抽選処理にて前記大賞当たりが当選されたときは、前記当たり遊技実行手段により前記大賞当たり遊技が実行された後の遊技状態を必ず前記特別遊技状態に制御する一方で、前記第２判定手段によって前記抽選処理が行われた結果、前記小賞当たりが当選された場合は、前記当たり遊技実行手段により前記小賞当たり遊技が実行された後、前記小賞当たりの当選を契機として、所定のタイミングにて前記通常遊技状態に制御するものであり、  前記図柄表示手段は、  前記通常遊技状態に制御されているときは、前記通常遊技状態に制御されることを示唆する図柄と、前記特別遊技状態に制御されることを示唆する図柄とのうち、前記特別遊技状態に制御されることを示唆する図柄のみを前記所定の表示画面にて変動表示させた上で、前記大賞当たりに当選されて前記特別遊技状態に制御されることが決定された場合に限り、特定の図柄組み合わせを所定の表示画面に停止表示する一方で、  前記特別遊技状態に制御されているときは、前記通常遊技状態に制御されることを示唆する図柄と、前記特別遊技状態に制御されることを示唆する図柄との両方を前記所定の表示画面にて変動表示させた上で、前記大賞当たりが当選された場合には、前記通常遊技状態に制御されることが決定されているか否かにかかわらず、前記特定の図柄組み合わせを所定の表示画面に停止表示するのに対し、前記小賞当たりが当選された場合には、前記大賞当たりが当選されたときに前記所定の表示画面にて停止表示される前記特定の図柄組み合わせとは異なる図柄組み合わせを停止表示するとともに、前記特別遊技状態から前記通常遊技状態に移行されることを示唆する表示画像を表示する  ことを特徴とする遊技機。
【請求項２】
前記第１の上限値は「４」である  請求項１に記載の遊技機。
【請求項３】
前記第２の上限値は「４」である  請求項１または２に記載の遊技機。
【手続補正書】
【提出日】平成22年6月10日(2010.6.10)
【手続補正１】
【補正対象書類名】特許請求の範囲
【補正対象項目名】全文
【補正方法】変更
【補正の内容】
【特許請求の範囲】
【請求項１】
変動開始条件の成立により複数の図柄列が変動表示される図柄表示手段と、
遊技領域を流下する遊技球を受け入れ可能な第１受入口と、
前記第１受入口への遊技球の受け入れに基づいて第１始動情報を抽出しうる第１始動情報抽出手段と、
前記第１始動情報抽出手段によって抽出された第１始動情報を第１の上限値まで記憶する第１始動情報記憶手段と、
前記変動開始条件が成立したときに、前記第１始動情報記憶手段によって記憶される前記第１始動情報について、第１の当たりおよび第２の当たりを当選種別とする抽選処理を行う抽選手段と、
前記複数の図柄列を変動させると共に当該複数の図柄列を順に停止させて、当該複数の図柄列の停止図柄の組み合わせによって前記抽選手段による抽選結果が表示されるように制御する図柄表示制御手段と、
前記抽選処理の結果が前記第１の当たりまたは前記第２の当たりであるときに、遊技者に多量の賞球が付与される大賞当たり遊技を実行する当たり遊技実行手段と、
前記抽選手段による抽選処理において当たりと判定される確率が相対的に高い高確率状態、または、前記抽選手段による抽選処理において当たりと判定される確率が相対的に低い低確率状態に制御する遊技状態制御手段と、
を備える遊技機であって、
前記遊技機は、さらに、
前記第１受入口の上方に配置され、前記遊技領域を流下する遊技球を、常には流下態様変化手段によって１球ずつ受け入れ可能な第２受入口と、
前記第２受入口への遊技球の受け入れに基づいて第２始動情報を抽出しうる第２始動情報抽出手段と、
を備えており、
前記高確率状態に制御されているときは、前記第２受入口への遊技球の受け入れが前記第１受入口よりも相対的に困難になると共に、前記低確率状態に制御されているときは、当該第２受入口への遊技球の受け入れが当該第１受入口よりも相対的に容易になりうるものであり、
前記抽選手段は、
前記第２始動情報抽出手段によって前記第２始動情報が抽出された場合には、前記第１始動情報記憶手段によって第１始動情報が記憶されていない場合にのみ、当該抽出された第２始動情報について、前記第１始動情報についての抽選処理の結果としての前記第２の当たりに代えて第３の当たりを当選種別とする抽選処理を行い、
当該第２始動情報についての抽選処理の結果が前記第３の当たりである場合には、当該抽選処理の結果が当たりであるにもかかわらず遊技者に付与される賞球が皆無または賞球が付与されるとしても微量の小賞当たり遊技が実行されると共に、当該小賞当たり遊技が実行されたのちの遊技状態が前記低確率状態に制御され、
遊技状態が前記高確率状態に制御されているとき、
前記図柄表示制御手段は、
前記第１始動情報についての抽選処理の結果が前記第１の当たりまたは前記第２の当たりであるときは、前記複数の図柄列を順に停止させるに際し、当該抽選処理の結果が当たりである旨を遊技者に了知させるべく、前記複数の図柄列の停止図柄の全てが同じ図柄となる組み合わせが表示されるように制御可能であると共に、
遊技状態が前記高確率状態に制御されているときは、前記第２受入口への遊技球の受け入れが前記第１受入口よりも相対的に困難となり、且つ前記第２始動情報についての抽選処理が前記第１始動情報が記憶されていない場合にのみ行われるにもかかわらず前記第２始動情報についての抽選処理が行われ、当該抽選処理の結果が前記第３の当たりであるときは、
前記複数の図柄列を順に停止させるに際し、前記停止図柄を、当該抽選処理の結果が当たりであるにもかかわらず最後に停止された図柄のみが他の図柄と異なる組み合わせが表示されるように制御する
ことを特徴とする遊技機。
【請求項２】
前記第１受入口への遊技球の受け入れが前記第２受入口よりも困難とされる前記低確率状態に制御されているとき、
前記図柄表示制御手段は、
前記第１受入口への遊技球の受け入れが前記第２受入口よりも困難であるにもかかわらず、前記第１始動情報についての抽選処理が行われ当該抽選処理の結果が前記第２の当たりである場合には、
当該抽選処理の結果が前記第２の当たりであるにもかかわらず、前記複数の図柄列の図柄列の停止図柄の全てが同じ図柄となる組み合わせが表示されることなく、当該抽選処理の結果が当たりであることを遊技者に了知され難い組み合わせが表示されて前記大賞当たり遊技が実行される
請求項１に記載の遊技機。
【請求項３】
前記複数の図柄列の停止図柄の全てが同じ図柄となる組み合わせが表示されて前記大賞当たり遊技が行われるとき、当該大賞当たり遊技が行われるに際して、当該組み合わせとして表示された図柄を単一の図柄として前記図柄表示手段に表示する一方、
前記遊技者に了知され難い組み合わせが表示されて前記大賞当たり遊技が行われるとき、当該大賞当たり遊技が行われるに際して、当該遊技者に了知され難い組み合わせを構成する複数の図柄を前記図柄表示手段に表示する
請求項２に記載の遊技機。
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
遊技領域に打ち込まれた遊技球が流下する遊技盤と、
前記遊技領域を流下する遊技球の入賞が許容される開状態と前記遊技領域を流下する遊技球の入賞が許容されない閉状態との間で動作可能な可変入賞口と、
前記遊技領域を流下する遊技球が受け入れられる第１受入口と、
前記第１受入口への遊技球の受け入れに基づいて始動情報を抽出する第１始動情報抽出手段と、
前記第１始動情報抽出手段によって抽出された始動情報を第１の上限値まで記憶する第１始動情報記憶手段と、
所定の始動条件が成立したとき、前記第１始動情報記憶手段によって記憶されている始動情報のうちの最も早く記憶された始動情報に基づいて大賞当たりの当落にかかる抽選処理を行う当落判定手段と、
前記当落判定手段により前記大賞当たりに当選された旨判定されたとき、多量の遊技球が賞として遊技者に付与されるべく、遊技球が容易に入賞される態様で前記可変入賞口を動作させる大賞当たり遊技を実行する当たり遊技実行手段と、
前記大賞当たりが当選されたことを契機として、前記当落判定手段によって大賞当たりと判定される確率が相対的に低い通常遊技状態と、前記当落判定手段によって大賞当たりと判定される確率が相対的に高い特別遊技状態とのいずれかに制御する遊技状態制御手段と、
前記大賞当たりへの当選の期待度が高いことを示唆する表示演出であるリーチ演出を含めて、前記当落判定手段による抽選処理の結果が示唆されるように所定の表示画面にて図柄の変動表示を行う図柄表示手段と、
を備え、前記可変入賞口が動作するときは、当該可変入賞口に入賞した遊技球の個数に応じた分の遊技球が賞として遊技者に付与されうる遊技機であって、
前記通常遊技状態に制御されているときよりも前記特別遊技状態に制御されているときのほうが高い頻度をもって動作する可動部材と、
前記第１受入口の上方に配置されるとともに、前記可動部材が高い頻度をもって動作する前記特別遊技状態に制御されているときは、前記遊技領域を流下する遊技球の受け入れ確率が前記第１受入口よりも低くなるように設けられた第２受入口と、
前記第２受入口への遊技球の受け入れに基づいて始動情報を抽出する第２始動情報抽出手段と、
前記第２始動情報抽出手段によって抽出された始動情報を第２の上限値まで記憶する第２始動情報記憶手段と、を備え、
前記当落判定手段は、
前記所定の始動条件が成立したとき、前記第１始動情報記憶手段に始動情報が記憶されているか否かを判断する第１始動判断手段、及び
前記第１始動判断手段により始動情報が記憶されている旨判断されたとき、前記第２始動情報記憶手段に当該始動情報よりも先に記憶された始動情報があるか否かにかかわらず、前記第１始動情報記憶手段に記憶されている始動情報のうちの最も早く記憶された始動情報に基づいて前記大賞当たりの当落にかかる抽選処理を行う第１判定手段、及び
前記第１始動判断手段により始動情報が記憶されている旨判断されなかったとき、前記第２始動情報記憶手段に記憶されている始動情報のうちの最も早く記憶された始動情報に基づいて前記大賞当たりの当落にかかる抽選処理を行う第２判定手段、
を有するものであり、
前記第１判定手段は、前記大賞当たりのみが当選種別に含まれる前記抽選処理を行うものであり、
前記第２判定手段は、前記第１受入口よりも前記第２受入口のほうが遊技球の受け入れ確率が低くなる前記特別遊技状態に制御されているにもかかわらず、前記第１始動情報記憶手段及び前記第２始動情報記憶手段のうちの前記第２始動情報記憶手段にのみ始動情報が記憶されている条件のもとで前記抽選処理を行うときは、当該抽選処理の結果に、前記大賞当たりのほか、小賞当たりも当選種別に含ませた上で当該抽選処理を行うものであり、
前記当たり遊技実行手段は、前記特別遊技状態に制御されているときに前記第２判定手段によって前記抽選処理が行われた結果、前記小賞当たりが当選されたときは、前記大賞当たり遊技よりも遊技球が入賞し難い態様で前記可変入賞口を動作させる小賞当たり遊技を実行するものであり、
前記遊技状態制御手段は、前記特別遊技状態に制御されているときに前記第２判定手段によって前記抽選処理が行われた結果、前記小賞当たりが当選されたときは、前記当たり遊技実行手段により前記小賞当たり遊技が実行された後、前記小賞当たりの当選を契機として、所定のタイミングにて前記通常遊技状態に制御するものであり、
前記図柄表示手段は、前記特別遊技状態に制御されているときは、前記第１判定手段よりも前記第２判定手段によって前記抽選処理が行われるときのほうが高い確率で前記リーチ演出を行うものであって、前記特別遊技状態に制御されているときに前記第２判定手段によって前記抽選処理が行われた結果、前記小賞当たりが当選されたときは、前記リーチ演出を行った後に、前記大賞当たりが当選されたときに表示される特定の図柄組み合わせを表示することなく、前記特別遊技状態から前記通常遊技状態に移行されることを示唆する表示画像を表示する
ことを特徴とする遊技機。
【請求項２】
前記第１の上限値は「４」である
請求項１に記載の遊技機。
【請求項３】
前記第２の上限値は「４」である
請求項１または２に記載の遊技機。
【手続補正書】
【提出日】平成22年7月16日(2010.7.16)
【手続補正１】
【補正対象書類名】特許請求の範囲
【補正対象項目名】請求項１
【補正方法】変更
【補正の内容】
【請求項１】
電磁コイルを有する電動モータを制御する駆動制御回路であって、
外部から供給される供給電圧と前記電磁コイルとの間の接続をオン／オフするためのスイッチング素子を有し、前記スイッチング素子のオン／オフによって前記電磁コイルに前記供給電圧を断続的に供給するドライバ回路と、
前記スイッチング素子をオン／オフ制御するためのスイッチング信号を生成するスイッチング信号生成回路と、
前記供給電圧に応じた値を有する供給電圧指令値を前記スイッチング信号生成回路に供給する供給電圧設定部と、
を備え、
前記スイッチング信号生成回路は、前記供給電圧指令値に応じて前記スイッチング信号のパルス幅を調整することによって、前記電磁コイルに印加される実効電圧を調整する、駆動制御回路。
【手続補正２】
【補正対象書類名】明細書
【補正対象項目名】００４９
【補正方法】変更
【補正の内容】
【００４９】
図６の例では、供給電圧ＶＳＵＰは、８Ｖ，１０Ｖ，１２Ｖ，１４Ｖの４種類の値のうちの１つが使用されるものと仮定している。また、モータの電磁コイルの抵抗Ｒは６．４Ωである。電圧調整を行わない場合には、電磁コイルに印加される実効電圧Ｖeffは、供給電圧ＶＳＵＰを√２で除した値に等しい。一方、電圧調整を行う場合には、電磁コイルに印加される実効電圧Ｖeffは、供給電圧ＶＳＵＰに供給電圧指令値Ｙａを乗じた値を√２で除した値に等しい。逆に言えば、供給電圧指令値Ｙａは、供給電圧ＶＳＵＰで所定の基準電圧値Ｖref（ここでは８Ｖ）を除した値に設定される。例えば、供給電圧ＶＳＵＰが８Ｖの場合には供給電圧指令値Ｙａは１．０となり、供給電圧ＶＳＵＰが１０Ｖの場合には供給電圧指令値Ｙａは０．８となる。このような電圧調整を行った場合には、電磁コイルに印加される実効電圧Ｖeffの値は、供給電圧ＶＳＵＰの値に拘わらず、常に５．７Ｖの一定値となる。従って、供給電圧ＶＳＵＰとして任意の値を採用した場合にも、常に同じモータ特性でモータを動作させることが可能となる。
【手続補正書】
【提出日】平成21年12月4日(2009.12.4)
【手続補正１】
【補正対象書類名】明細書
【補正対象項目名】特許請求の範囲
【補正方法】変更
【補正の内容】
【特許請求の範囲】
【請求項１】  流行性角結膜炎の治療または予防用の医薬組成物であって、前記組成物は、ウイルスとシアル酸レセプターとの間の相互作用を妨害する物質を含み、前記物質は治療または予防上有効量で存在し、ウイルスとシアル酸レセプターとの間の相互作用を妨害する物質は、シアル化糖類、その類似体、およびそれらの誘導体、グリコサミノグリカン、その類似体、およびそれらの誘導体、シアル酸、硫酸デキストラン、ヘパリン、硫酸ヘパリン、Ｎ−グリコリルノイラミン酸、Ｎ−アセチルノイラミン酸、コロミン酸、３'Ｎ−アセチルノイラミニルＮ−アセチルラクトースアミン、６'Ｎ−アセチルノイラミニルＮ−アセチルラクトースアミン、Ｎ−アセチルノイラミニル−３−フコシルラクトース、Ｎ−アセチルノイラミニルラクトース、ムチン、オロソムコイドおよびそれらの混合物もしくは誘導体からなる群より選択されることを特徴とする医薬組成物。
【請求項２】  ウイルスとシアル酸レセプターとの間の相互作用を妨害する物質が、３'Ｎ−アセチルノイラミニルＮ−アセチルラクトースアミン、６'Ｎ−アセチルノイラミニルＮ−アセチルラクトースアミン、Ｎ−アセチルノイラミニル−３−フコシルラクトース、Ｎ−アセチルノイラミニルラクトースおよびコロミン酸からなる群より選択される、請求項１に記載の医薬組成物。
【請求項３】  ウイルスとシアル酸レセプターとの間の相互作用を妨害する物質が、Ｎ−アセチル−ノイラミニルラクトース、ヘパリンまたはムチンである、請求項１に記載の医薬組成物。
【請求項４】  ウイルスとシアル酸レセプターとの間の相互作用を妨害する物質の、角結膜炎の治療または予防用の医薬組成物の製造における使用であって、前記物質が、シアル酸、硫酸デキストラン、ヘパリン、硫酸ヘパリン、Ｎ−グリコリルノイラミン酸、Ｎ−アセチルノイラミン酸、コロミン酸、３'Ｎ−アセチルノイラミニルＮ−アセチルラクトースアミン、６'Ｎ−アセチルノイラミニルＮ−アセチルラクトースアミン、Ｎ−アセチルノイラミニル−３−フコシルラクトース、Ｎ−アセチルノイラミニルラクトース、ムチン、オロソムコイド、またはそれらの混合物もしくは誘導体からなる群より選択されることを特徴とする使用。
【請求項５】  角結膜炎の治療または予防用の医薬組成物の製造におけるヘパリンの使用。
【請求項６】  角結膜炎の治療または予防用の医薬組成物の製造におけるＮ−アセチル−ノイラミニルラクトースの使用。
【請求項７】  角結膜炎の治療または予防用の医薬組成物の製造におけるムチンの使用。
【請求項８】  角結膜炎の治療または予防用の医薬組成物であって、前記組成物は、多数のウイルス粒子の凝集を引き起こすいくつかの繊維と相互作用しうる多価物質を含み、前記物質は治療または予防上有効量で存在することを特徴とする医薬組成物。
【手続補正書】
【提出日】平成22年3月24日(2010.3.24)
【手続補正１】
【補正対象書類名】特許請求の範囲
【補正対象項目名】全文
【補正方法】変更
【補正の内容】
【特許請求の範囲】
【請求項１】
所定の記入枠を有する原本フォーマットを作成する原本フォーマット作成手段を備える端末装置と、
当該端末装置により作成された複数の原本フォーマットを格納すると共に、各原本フォーマットを識別する原本ＩＤを付与するサーバと、
前記端末装置の要求に従って前記サーバに格納された所定の原本フォーマットを記録用紙へ形成する形成装置と、
前記原本フォーマットに従って記入された原本データにおける前記原本ＩＤ及び当該原本データの所定の記入枠の内容を読み取る画像読取装置とを備え、
前記サーバは、前記原本データの原本ＩＤに応じて前記所定の記入枠の記入データを処理することを特徴とする手書き情報処理システム。
【請求項２】
前記端末装置は、前記原本フォーマットを作成する際に前記記入枠を指定する記入枠指定手段を備え、
前記サーバは、前記原本フォーマットを記憶する原本フォーマット記憶部と、前記原本ＩＤを記憶する原本ＩＤ記憶部と、前記出力装置により前記原本フォーマットを記録用紙へ形成する際、前記原本ＩＤ記憶部に記憶された原本ＩＤのコードを当該原本フォーマットへ付与するコード付与手段と、前記原本フォーマット毎に当該原本フォーマットの記入枠を識別するための記入枠ＩＤを記憶する記入枠ＩＤ記憶部と、前記記入枠毎に当該記入枠の位置を記憶する記入枠位置記憶部と、前記記入枠毎に当該記入枠の記入データの処理方法を記憶する処理方法記憶部と、前記処理方法記憶部に記憶された処理方法に基づき前記記入枠の記入データを処理する処理部とを備えていることを特徴とする請求項１に記載の手書き情報処理システム。
【請求項３】
前記記入枠の記入データを処理することにより集計されたデータを記憶する集計データ記憶部を備えていることを特徴とする請求項２記載の手書き情報処理システム。
【請求項４】
所定の記入枠を有する複数の原本フォーマットを記憶する記憶手段と、
前記記憶手段により記憶された複数の原本フォーマットそれぞれに原本ＩＤを付与し、該原本ＩＤを前記複数の原本フォーマットそれぞれに付与する付与手段と、
前記付与手段により付与された原本ＩＤに対応する原本フォーマットの所定の記入枠に対する処理方法を記憶する処理方法記憶手段と、
前記付与手段により付与された原本ＩＤが付与された原本フォーマットを画像形成装置へ出力する出力手段と、
前記出力手段により出力された原本フォーマットに手書きにより記入された原本データを受け付ける受付手段とを有し、
前記受付手段により受け付けた原本データに付与されている原本ＩＤを識別し、該識別した原本ＩＤに対応する前記処理方法記憶手段に記憶されている処理方法を用いて、前記原本データの所定の記入枠の処理を行うことを特徴とする原本データ処理装置。
【請求項５】
画像読取装置から読み取られた所定の記入枠と原本ＩＤとを有する原本フォーマットに手書きにより記入された原本データを受け付ける手段と、
前記原本データの原本ＩＤと予め記憶されている複数の原本ＩＤとを照合し、複数の原本ＩＤの中から原本ＩＤを識別する識別手段と、
前記複数の原本ＩＤに対応して予め記憶されている原本フォーマットの所定の記入枠の処理方法の中から、前記識別された原本ＩＤに対応する所定の記入枠の処理方法を特定する特定手段と、
前記特定された所定の記入枠の処理方法を用いて、前記原本データの所定の記入枠の処理を行う処理手段とを
有することを特徴とする原本データ処理装置。
【請求項６】
前記記入枠の記入データを処理することにより集計されたデータを記憶する集計データ記憶部を備えていることを特徴とする請求項４に記載の原本データ処理装置。
【手続補正２】
【補正対象書類名】明細書
【補正対象項目名】発明の名称
【補正方法】変更
【補正の内容】
【発明の名称】手書き情報処理システム及び原本データ処理装置
【手続補正３】
【補正対象書類名】明細書
【補正対象項目名】０００７
【補正方法】変更
【補正の内容】
【０００７】
本発明はこのような問題点に鑑みなされたものであり、その目的とするところは、文字の認識精度を向上させ、画像読取装置により読み取った文書を自動的にデータ処理することができる手書き情報処理システム及び原本データ処理装置を提供することにある。
【手続補正４】
【補正対象書類名】明細書
【補正対象項目名】０００８
【補正方法】変更
【補正の内容】
【０００８】
前記目的を達成するために、本発明の手書き情報処理システムは、所定の記入枠を有する原本フォーマットを作成する原本フォーマット作成手段を備える端末装置と、
当該端末装置により作成された複数の原本フォーマットを格納すると共に、各原本フォーマットを識別する原本ＩＤを付与するサーバと、
前記端末装置の要求に従って前記サーバに格納された所定の原本フォーマットを記録用紙へ形成する形成装置と、
前記原本フォーマットに従って記入された原本データにおける前記原本ＩＤ及び当該原本データの所定の記入枠の内容を読み取る画像読取装置とを備え、
前記サーバは、前記原本データの原本ＩＤに応じて前記所定の記入枠の記入データを処理することを特徴とするものである。
【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
磁気記録媒体に対して情報の読み書きを行なう磁気ヘッドと、
前記磁気記録媒体に対向する媒体対向面と、
前記磁気記録媒体の回転により発生する空気流が流入する流入面と、
前記流入端面から前記媒体対向面を通して空気流が導かれる流出面と、
前記媒体対向面の両側に位置する側面と、
前記流出面及び前記側面の少なくともいずれか一方に設けられた前記空気流とともに導かれる流動物質を吸着させる吸着構造と
を備えたことを特徴とするヘッドスライダ。
【請求項２】
前記吸着構造は、前記流出面及び前記側面の少なくともいずれか一方に形成された多孔質膜であることを特徴とする請求項１に記載のヘッドスライダ。
【請求項３】
前記吸着構造は、前記流出面及び前記側面の少なくともいずれか一方に設けられた長繊維材料であることを特徴とする請求項１に記載のヘッドスライダ。
【請求項４】
前記長繊維材料は、前記媒体対向面の一部まで延出されるように形成されることを特徴とする請求項３に記載のヘッドスライダ。
【請求項５】
前記吸着構造は、前記流出面及び前記側面の少なくともいずれか一方に設けられた前記媒体対向面側の端部から離れる方向に延びるように形成された複数の溝であることを特徴とする請求項１に記載のヘッドスライダ。
【請求項６】
前記媒体対向面には、当該媒体対向面に付着した前記流動物質を前記空気流が流出する方向に誘導する溝部が形成され、当該溝部は、前記流入面側よりも前記流出面側に向かうほど傾斜が大きくなるように形成されていることを特徴とする請求項１に記載のヘッドスライダ。
【請求項７】
磁気記録媒体と、
前記磁気記録媒体を回転させる駆動手段と、
前記磁気記録媒体に対して情報の読み書きを行なう磁気ヘッドと、
前記磁気記録媒体に対向する媒体対向面と、
前記磁気記録媒体の回転により発生する空気流が流入する流入面と、
前記流入端面から前記媒体対向面を通して前記空気流が導かれる流出面と、
前記媒体対向面の両側に位置する側面と、
前記流出端面及び前記側面の少なくともいずれか一方に設けられた前記空気流とともに導かれる流動物質を吸着させる吸着構造とを有するヘッドスライダと
を備えたことを特徴とする磁気記憶装置。
【請求項８】
前記吸着構造は、前記流出面及び前記側面の少なくともいずれか一方に形成された多孔質膜であることを特徴とする請求項７に記載の磁気記憶装置。
【請求項９】
前記吸着構造は、前記流出面及び前記側面の少なくともいずれか一方に設けられた長繊維材料であることを特徴とする請求項７に記載の磁気記憶装置。
【請求項１０】
前記吸着構造は、前記流出面及び前記側面の少なくともいずれか一方に設けられた前記媒体対向面側の端部から離れる方向に延びるように形成された複数の溝であることを特徴とする請求項７に記載の磁気記憶装置。
【請求項１１】
前記吸着構造は、前記流出面と、前記側面とに設けられることを特徴とする請求項７に記載の磁気記憶装置。
【手続補正２】
【補正対象書類名】明細書
【補正対象項目名】００１３
【補正方法】変更
【補正の内容】
【００１３】
実施形態にかかるヘッドスライダは、磁気記録媒体に対して情報の読み書きを行なう磁気ヘッドと、前記磁気記録媒体に対向する媒体対向面と、前記磁気記録媒体の回転により発生する空気流が流入する流入面と、前記流入端面から前記媒体対向面を通して空気流が導かれる流出面と、前記媒体対向面の両側に位置する側面と、前記流出面又は前記側面の少なくとも一方に設けられた前記空気流とともに導かれる流動物質を吸着させる吸着構造と、を備えることを特徴とする。また、実施形態にかかる磁気記憶装置は、磁気記録媒体と、前記磁気記録媒体を回転させる駆動手段と、前記磁気記録媒体に対して情報の読み書きを行なう磁気ヘッドと、前記磁気記録媒体に対向する媒体対向面と、前記磁気記録媒体の回転により発生する空気流が流入する流入面と、前記流入端面から前記媒体対向面を通して前記空気流が導かれる流出面と、前記媒体対向面の両側に位置する側面と、前記流出端面又は前記側面の少なくとも一方に設けられた前記空気流とともに導かれる流動物質を吸着させる吸着構造とを有するヘッドスライダと、を備えることを特徴とする。
【手続補正書】
【提出日】平成21年12月11日(2009.12.11)
【手続補正１】
【補正対象書類名】明細書
【補正対象項目名】０００９
【補正方法】変更
【補正の内容】
【０００９】
ＤＮＡ分子は、ヌクレオチドと呼ばれるサブユニットの直線状ポリマーである。各ヌクレオチドは、フォスフェート基によって隣接ヌクレオチドの糖に連結される共通の環状糖分子と、塩基と呼ばれる異なる環状置換基の一つとを含む。該糖及び塩基の組み合わせは、ヌクレオシドと呼ばれる。天然起源からのＤＮＡにおいて共通に見つけられた４つの塩基は、アデニン、グアニン、シトシン及びチミン（本明細書で以下、Ａ、Ｇ、Ｃ及びＴと夫々呼ばれる）である。個体のＤＮＡにおけるこれら塩基の直線配列は、その「ゲノム」である。それは、タンパク質の合成のための情報を生み出すコード領域、遺伝子発現の制御のための領域、及びその役割が完全に理解されていない所謂「非コード」領域を含む。
【手続補正２】
【補正対象書類名】明細書
【補正対象項目名】００５６
【補正方法】変更
【補正の内容】
【００５６】
全ての場合において、サンプルにおける第１の及び第２の核酸フラグメントが区別可能でなければならない。典型的に、分析方法が電気泳動である場合、該フラグメントは、サイズにおいて10〜100 bpの間、好ましくは20〜100 bpの間だけ異なっていなければならない。しかしながら、分析方法が質量分析である場合、この方法はより高い解像度を有する故に、サイズにおいて２〜100bpの間だけ異なるフラグメントを有すると十分でありうる。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
入力及び出力を有する第１の演算増幅器と、
入力、及び前記第１の演算増幅器の前記入力に接続する出力を有する第２の演算増幅器と、
前記第１の演算増幅器の前記入力に接続する一端、及び、前記第１の演算増幅器の前記出力に接続する他端を有し、第１のキャパシタンスを備える、第１のフィードバック素子と、
前記第１の演算増幅器の前記入力、及び、前記第１の演算増幅器の前記出力に接続する他端に接続する第２のフィードバック素子と、
を備え、
前記第２のフィードバック素子が、第１の抵抗を、第１のインダクタンスと直列に備える、
トランスインピーダンス増幅器。
【請求項２】
前記第１のキャパシタンスが可変キャパシタンスを含む、請求項１記載のトランスインピーダンス増幅器。
【請求項３】
前記第１のフィードバック素子が、第１の抵抗を、前記第１のキャパシタンスと並列に備える、請求項１記載のトランスインピーダンス増幅器。
【請求項４】
前記第１のフィードバック素子の前記他端及び前記第２のフィードバック素子の前記他端に接続する一端と、前記第２の演算増幅器の前記出力に接続する他端と、を有する第１の抵抗を更に備える、請求項１記載のトランスインピーダンス増幅器。
【請求項５】
前記第１のフィードバック素子が、更に、第１の抵抗を、前記第１のキャパシタンスと直列に備え、
前記第２のフィードバック素子が、第１のインダクタンスを、第２の抵抗と並列に備える、
請求項１記載のトランスインピーダンス増幅器。
【請求項６】
請求項１記載のトランスインピーダンス増幅器を備える差動トランスインピーダンス増幅器。
【請求項７】
請求項１記載のトランスインピーダンス増幅器を備えるシグマデルタ・アナログ−デジタル変換器。
【請求項８】
入力信号を受ける一方の入力を有する差動増幅器モジュールと、
前記差動増幅器モジュールの出力に接続する積分器モジュールと、
前記積分器モジュールの出力を受ける比較器モジュールと、
前記比較器モジュールの出力及び前記差動増幅器モジュールの他方の入力に接続するデジタル−アナログ変換器モジュールと、
を更に備える、請求項７記載のシグマデルタ・アナログ−デジタル変換器。
【請求項９】
前記比較器モジュールの出力を受けるフィルタ及び間引きモジュールを更に備える、請求項８記載のシグマデルタ・アナログ−デジタル変換器。
【請求項１０】
前記差動増幅器モジュール、前記積分器モジュール、及び前記比較器モジュールのうち少なくとも一つが、前記トランスインピーダンス増幅器を含む、請求項８記載のシグマデルタ・アナログ−デジタル変換器。
【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
酸素富化率が１０体積％以下の羽口熱風吹込みを行ない、炉上部を昇温させるためにシャフト上部から高炉内にシャフト上部吹き込みガスのガス吹き込みを行なうことを特徴とする高炉の操業方法。
【請求項２】
前記シャフト上部吹き込みガスは、連続吹き込みを行なうことを特徴とする請求項１に記載の高炉の操業方法。
【請求項３】
前記シャフト上部吹き込みガスの吹き込みに際し、高炉操業条件を変更しない場合は連続吹き込みを行ない、シャフト上部吹き込みガス吹き込みを実施中に高炉操業条件を変更する場合は、炉上部温度上昇が見込まれた時点でシャフト上部吹き込みガス吹き込みを停止することを特徴とする請求項１または請求項２に記載の高炉の操業方法。
【請求項４】
前記高炉操業に際し、炉頂温度が１１０℃以下となった場合、シャフト上部吹き込みガスを高炉シャフト上部から高炉内に吹き込むことを特徴とする請求項１〜３のいずれか一つに記載の高炉の操業方法。
【請求項５】
前記シャフト上部吹き込みガスとして、酸素を含まないガスを用いることを特徴とする請求項１〜４のいずれか一つに記載の高炉の操業方法。
【請求項６】
前記シャフト上部吹き込みガスとして、製鉄所でガスホルダーに貯蔵されている高炉発生ガス、または高炉発生ガスとコークス炉発生ガスとの混合ガスを吹き込むことを特徴とする請求項１〜５のいずれか一つに記載の高炉の操業方法。
【請求項７】
前記シャフト上部吹き込みガスとして、炉頂ガスの一部を循環させて吹き込むことを特徴とする請求項１〜６のいずれか一つに記載の高炉の操業方法。
【請求項８】
前記炉頂ガスの替わりに、ガスホルダーから高炉発生ガス、または高炉発生ガスとコークス炉発生ガスとの混合ガスを、燃焼炉で加熱して吹き込むことを特徴とする請求項７に記載の高炉の操業方法。
【請求項９】
前記炉頂ガスに加えて、ガスホルダーから高炉発生ガス、または高炉発生ガスとコークス炉発生ガスとの混合ガスを、燃焼炉で加熱して吹込むことを特徴とする請求項７に記載の高炉の操業方法。
【請求項１０】
前記シャフト上部吹き込みガスを脱炭酸後に吹き込むことを特徴とする請求項１〜９のいずれか一つに記載の高炉の操業方法。
【請求項１１】
ガスクリーニング装置によりダストや水分を除去した炉頂ガスの一部について、脱炭酸装置で脱炭酸を行ないＣＯ2を除去し、燃焼炉で酸素を加えてその一部を燃焼させることで加熱して、シャフト部上部から前記シャフト上部吹き込みガスとして高炉に吹込むことを特徴とする請求項1〜１０のいずれか一つに記載の高炉の操業方法。
【請求項１２】
前記シャフト上部吹き込みガスを５００℃以上に加熱して吹き込むことを特徴とする請求項１〜１１のいずれか一つに記載の高炉の操業方法。
【請求項１３】
前記シャフト上部吹き込みガスの吹き込みにより、炉頂ガス温度を４０℃上昇させることを特徴とする請求項１〜１２のいずれか一つに記載の高炉の操業方法。
【請求項１４】
前記高炉操業において、炉頂ガス量の１０体積％以下の量のガスをシャフト上部吹き込みガスとして高炉内に吹き込むことを特徴とする請求項１２または請求項１３に記載の高炉の操業方法。
【請求項１５】
前記シャフト上部吹き込みガスを吹き込む高炉シャフト上部は、高炉本体の高さの上部１／３以内の領域であることを特徴とする請求項１〜１４のいずれか一つに記載の高炉の操業方法。
【請求項１６】
前記シャフト上部吹き込みガスを吹き込む高炉シャフト上部は、装入面の下方約１０ｍ以内の領域であることを特徴とする請求項１〜１５のいずれか一つに記載の高炉の操業方法。
【手続補正２】
【補正対象書類名】明細書
【補正対象項目名】０００８
【補正方法】変更
【補正の内容】
【０００８】
このような課題を解決するための本発明の特徴は以下の通りである。
（１）酸素富化率が１０体積％以下の羽口熱風吹込みを行ない、炉上部を昇温させるためにシャフト上部から高炉内にシャフト上部吹き込みガスのガス吹き込みを行なうことを特徴とする高炉の操業方法。
（２）前記シャフト上部吹き込みガスは、連続吹き込みを行なうことを特徴とする（１）に記載の高炉の操業方法。
（３）前記シャフト上部吹き込みガスの吹き込みに際し、高炉操業条件を変更しない場合は連続吹き込みを行ない、シャフト上部吹き込みガス吹き込みを実施中に高炉操業条件を変更する場合は、炉上部温度上昇が見込まれた時点でシャフト上部吹き込みガス吹き込みを停止することを特徴とする（１）または（２）に記載の高炉の操業方法。
（４）前記高炉操業に際し、炉頂温度が１１０℃以下となった場合、シャフト上部吹き込みガスを高炉シャフト上部から高炉内に吹き込むことを特徴とする（１）〜（３）のいずれか一つに記載の高炉の操業方法。
（５）前記シャフト上部吹き込みガスとして、酸素を含まないガスを用いることを特徴とする（１）〜（４）のいずれか一つに記載の高炉の操業方法。
（６）前記シャフト上部吹き込みガスとして、製鉄所でガスホルダーに貯蔵されている高炉発生ガス、または高炉発生ガスとコークス炉発生ガスとの混合ガスを吹き込むことを特徴とする（１）〜（５）のいずれか一つに記載の高炉の操業方法。
（７）前記シャフト上部吹き込みガスとして、炉頂ガスの一部を循環させて吹き込むことを特徴とする（１）〜（６）のいずれか一つに記載の高炉の操業方法。
（８）前記炉頂ガスの替わりに、ガスホルダーから高炉発生ガス、または高炉発生ガスとコークス炉発生ガスとの混合ガスを、燃焼炉で加熱して吹き込むことを特徴とする（７）に記載の高炉の操業方法。
（９）前記炉頂ガスに加えて、ガスホルダーから高炉発生ガス、または高炉発生ガスとコークス炉発生ガスとの混合ガスを、燃焼炉で加熱して吹込むことを特徴とする（７）に記載の高炉の操業方法。
（１０）前記シャフト上部吹き込みガスを脱炭酸後に吹き込むことを特徴とする（１）〜（９）のいずれか一つに記載の高炉の操業方法。
（１１）ガスクリーニング装置によりダストや水分を除去した炉頂ガスの一部について、脱炭酸装置で脱炭酸を行ないＣＯ2を除去し、燃焼炉で酸素を加えてその一部を燃焼させることで加熱して、シャフト部上部から前記シャフト上部吹き込みガスとして高炉に吹込むことを特徴とする（１）〜（１０）のいずれか一つに記載の高炉の操業方法。
（１２）前記シャフト上部吹き込みガスを５００℃以上に加熱して吹き込むことを特徴とする（１）〜（１１）のいずれか一つに記載の高炉の操業方法。
（１３）前記シャフト上部吹き込みガスの吹き込みにより、炉頂ガス温度を４０℃上昇させることを特徴とする（１）〜（１２）のいずれか一つに記載の高炉の操業方法。
（１４）前記高炉操業において、炉頂ガス量の１０体積％以下の量のガスをシャフト上部吹き込みガスとして高炉内に吹き込むことを特徴とする（１２）または（１３）に記載の高炉の操業方法。
（１５）前記シャフト上部吹き込みガスを吹き込む高炉シャフト上部は、高炉本体の高さの上部１／３以内の領域であることを特徴とする（１）〜（１４）のいずれか一つに記載の高炉の操業方法。
（１６）前記シャフト上部吹き込みガスを吹き込む高炉シャフト上部は、装入面の下方約１０ｍ以内の領域であることを特徴とする（１）〜（１５）のいずれか一つに記載の高炉の操業方法。
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
（Ａ）液晶性樹脂１００重量部に対して、（Ｂ）体積平均粒子径０．０１〜１．０μｍのタルク５〜２００重量部を含有してなることを特徴とする液晶性樹脂組成物を成形してなる、二つ以上の部品が動的に接触する成形品。
【請求項２】
請求項１において、液晶性樹脂組成物がさらに（Ｃ）繊維状充填材を含有してなることを特徴とする成形品。
【請求項３】
前記繊維状充填剤が、針状ホウ酸アルミニウムウィスカーおよびウォラストナイトから選ばれる少なくとも１種であることを特徴とする請求項２記載の成形品。
【請求項４】
スライドスイッチ、オートフォーカスカメラレンズまたはボリュームコントローラーの部品である請求項１〜３のいずれか記載の成形品。
【手続補正２】
【補正対象書類名】明細書
【補正対象項目名】発明の名称
【補正方法】変更
【補正の内容】
【発明の名称】液晶性樹脂組成物からなる成形品
【手続補正３】
【補正対象書類名】明細書
【補正対象項目名】０００１
【補正方法】変更
【補正の内容】
【０００１】
本発明は、表面外観に優れかつ摺動性に優れた液晶性樹脂組成物からなる成形品に関するものである。
【手続補正４】
【補正対象書類名】明細書
【補正対象項目名】０００５
【補正方法】変更
【補正の内容】
【０００５】
本発明は、かかる従来技術における問題点に鑑み、表面外観に優れかつ摺動性に優れた液晶性樹脂組成物からなる成形品を提供せんとするものである。
【手続補正５】
【補正対象書類名】明細書
【補正対象項目名】０００６
【補正方法】変更
【補正の内容】
【０００６】
本発明は、かかる課題を解決するために、次のような手段を採用するものである。すなわち、本発明の成形品は、（Ａ）液晶性樹脂１００重量部に対して、（Ｂ）体積平均粒子径０．０１〜１．０μｍのタルク５〜２００重量部を含有してなることを特徴とする液晶性樹脂組成物を成形してなる、二つ以上の部品が動的に接触する成形品である。
【手続補正６】
【補正対象書類名】明細書
【補正対象項目名】０００７
【補正方法】変更
【補正の内容】
【０００７】
また、本発明に用いられる液晶性樹脂組成物の好ましい態様は、
１．かかる液晶性樹脂組成物に、さらに（Ｃ）繊維状充填材を含有してなること、
２．前記繊維状充填剤が、針状ホウ酸アルミニウムウィスカーおよびウォラストナイトから選ばれる少なくとも１種であること、
である。
【手続補正７】
【補正対象書類名】明細書
【補正対象項目名】００６２
【補正方法】変更
【補正の内容】
【００６２】
本発明の液晶性樹脂組成物からなる成形品は、機械強度、成形加工性、摺動性に優れ、かつ成形品の表面外観が非常に綺麗であるため、製品同士が動的に接触する部品に好適に使用することができる。
【手続補正書】
【提出日】平成22年1月5日(2010.1.5)
【手続補正１】
【補正対象書類名】特許請求の範囲
【補正対象項目名】全文
【補正方法】変更
【補正の内容】
【特許請求の範囲】
【請求項１】
以下の（１）〜（４）の工程を含むことを特徴とする、ＢＣＧ−ＣＷＳの製造方法：
（１）ＢＣＧ菌を破砕し、細胞壁（ＷＣＷ）を集める工程、
（２）（１）で得られる細胞壁（ＷＣＷ）をベンゾナーゼ及びプロナーゼで処理する工程、
（３）（２）で得られる生成物を、５５℃〜６５℃の加温下に、非イオン性界面活性剤で処理する工程、及び
（４）（３）で得られる生成物を、アルコール系溶媒、エーテル系溶媒、ハロゲン系溶媒及びこれらの混合溶媒から選択される１又は複数の有機溶媒で、１又は複数回洗浄する工程。
【請求項２】
非イオン性界面活性剤が、ポリオキシエチレン（10）オクチルフェニルエーテルである、請求項１に記載の製造方法。
【請求項３】
工程（４）における有機溶媒が、メタノール、エタノール、テトラヒドロフラン、クロロホルム、ジクロロエタン及びこれらの混合溶媒から選択される１又は複数の、同一又は異なる有機溶媒である、請求項１又は２に記載の製造方法。
【請求項４】
請求項１〜３のいずれかに記載の製造方法で得られる、高純度のＢＣＧ−ＣＷＳ。